(57)【特許請求の範囲】
【請求項１】
筐体の機械室の開口を閉塞する態様で着脱可能に設けられ、かつ前記機械室に設置された冷凍機器に対して外気を供給するための複数の通風孔が通風領域に形成されたキックプレートと、
略矩形状の形態を成したフィルタフレームと、前記フィルタフレームに形成されたフィルタ開口を覆うよう該フィルタフレームに保持されたフィルタ部とを備えて構成され、前記冷凍機器を構成する凝縮器の目詰まりを抑制するための軟質性の凝縮器用フィルタと
を備えたショーケースにおいて、
前記キックプレートは、
前記通風領域の近傍に形成され、かつ前記凝縮器用フィルタの一部を挿入させる切欠部と、
前記通風孔と前記凝縮器との間にて前記切欠部を通じて挿入された前記凝縮器用フィルタを、前記切欠部から露出する部分を前記筐体の前面に接した状態で支持するもので、かつ前記キックプレートの後方において互いに対向する部分を有する左右一対の支持左側部及び支持右側部により該凝縮器用フィルタの左右方向の移動を規制する支持部と
を備え、
前記凝縮器用フィルタは、
前記フィルタフレームの左右両端部における前記フィルタ開口の上縁部より上方側部位に、外方に向けて突出する態様で形成された部分を有する突起部と、
該突起部の内方に形成された貫通孔と
を有し、
前記支持部は、前記支持左側部及び前記支持右側部の互いに対向する部分に、前記切欠部より挿入された前記凝縮器用フィルタの突起部が弾性復元力により進入することを許容する係合孔部を備えたことを特徴とするショーケース。
【請求項２】
前記凝縮器用フィルタは、上端部分に把手部が形成されており、
前記切欠部は、前記通風領域の上方側に形成され、前記支持部は、前記把手部が前記切欠部から露出した状態で支持することを特徴とする請求項１に記載のショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するショーケースとして、次のようなものが知られている。前面に開口が形成されたケース本体の収納室に、複数の商品載置棚が上下方向に沿って複数段設けられており、それぞれの商品載置棚における棚板に商品が載置されている。また、ケース本体内であって収納室外となる個所には、吸込口を通じて吸い込こまれた収納室内の空気が通過する空気通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品載置棚に載置された商品が所望の温度に調整されて保持される。
【０００３】
このようなショーケースには、ケース本体において収納室の下部に機械室が形成されている。機械室は、前面に開口が形成されており、その内部には上記蒸発器とともに冷凍サイクルを構成する圧縮機や凝縮器等の冷凍機器が配設されている。また機械室の前面開口は、キックプレートにより閉塞されている。このキックプレートは、ケース本体に着脱可能に配設されており、冷凍機器に対して外気を供給するための複数の通風孔が形成されている。
【０００４】
そして、凝縮器は、上面及び左右両側面がファンケースに囲繞されており、該凝縮器の前方側には、上記通風孔を通過する外気の塵埃物を捕獲するための凝縮器用フィルタがファンケースに支持されている。これにより凝縮器の目詰まりを抑制することができる（例えば、特許文献１参照）。
【先行技術文献】
【特許文献】
【０００５】
【特許文献１】特開２００３−２４０４１０号公報
【発明の概要】
【発明が解決しようとする課題】
【０００６】
ところで、上述した特許文献１に提案されているショーケースでは、凝縮器用フィルタはファンケースに支持されていて、機械室の前面開口はキックプレートに閉塞されていたので、凝縮器用フィルタを清掃若しくは交換等する場合にはキックプレートを取り外す必要があった。
【０００７】
キックプレートは、ネジ等の締結部材を用いて機械室の前面開口を閉塞する態様でケース本体に取り付けられているので、キックプレートを取り出すためには締結部材による締結を解除する必要があり、結果的にキックプレートを取り外すことが煩雑であった。
【０００８】
そのため、実際の運用においては、キックプレートの取り出しが煩雑であるために凝縮器用フィルタの清掃頻度が低くなってしまい、これにより凝縮器の周囲を通過する空気の低減を招来し、冷凍機器の運転効率が低下してしまう虞れがあった。
【０００９】
本発明は、上記実情に鑑みて、凝縮器用フィルタの清掃頻度の向上を図ることで、冷凍機器の運転効率の向上を図ることができるショーケースを提供することを目的とする。
【課題を解決するための手段】
【００１０】
上記目的を達成するために、本発明に係るショーケースは、筐体の機械室の開口を閉塞する態様で着脱可能に設けられ、かつ前記機械室に設置された冷凍機器に対して外気を供給するための複数の通風孔が通風領域に形成されたキックプレートと、略矩形状の形態を成したフィルタフレームと、前記フィルタフレームに形成されたフィルタ開口を覆うよう該フィルタフレームに保持されたフィルタ部とを備えて構成され、前記冷凍機器を構成する凝縮器の目詰まりを抑制するための軟質性の凝縮器用フィルタとを備えたショーケースにおいて、前記キックプレートは、前記通風領域の近傍に形成され、かつ前記凝縮器用フィルタの一部を挿入させる切欠部と、前記通風孔と前記凝縮器との間にて前記切欠部を通じて挿入された前記凝縮器用フィルタを、前記切欠部から露出する部分を前記筐体の前面に接した状態で支持するもので、かつ前記キックプレートの後方において互いに対向する部分を有する左右一対の支持左側部及び支持右側部により該凝縮器用フィルタの左右方向の移動を規制する支持部とを備え、前記凝縮器用フィルタは、前記フィルタフレームの左右両端部における前記フィルタ開口の上縁部より上方側部位に、外方に向けて突出する態様で形成された突起部と、該突起部の内方に形成された貫通孔とを有し、前記支持部は、前記支持左側部及び前記支持右側部の互いに対向する部分に、前記切欠部より挿入された前記凝縮器用フィルタの突起部が弾性復元力により進入することを許容する係合孔部を備えたことを特徴とする。
【００１２】
また本発明は、上記ショーケースにおいて、前記凝縮器用フィルタは、上端部分に把手部が形成されており、前記切欠部は、前記通風領域の上方側に形成され、前記支持部は、前記把手部が前記切欠部から露出した状態で支持することを特徴とする。
【発明の効果】
【００１３】
本発明によれば、通風領域の近傍に形成された切欠部が、凝縮器用フィルタを挿入させ、支持部が、通風孔と凝縮器との間にて切欠部を通じて挿入された凝縮器用フィルタを支持するので、キックプレートを取り外すことなく、凝縮器用フィルタの着脱を容易に行うことができる。そのため、凝縮器用フィルタの清掃頻度の向上を図ることができ、冷凍機器の運転効率の向上を図ることができるという効果を奏する。
【００１４】
特に、凝縮器用フィルタが軟質性のものであることから凝縮器用フィルタ自体が容易に変形する。そのため、支持部が凝縮器用フィルタにおける切欠部から露出する部分を筐体の前面に接した状態で支持することができ、しかも凝縮器用フィルタをキックプレートから離脱させる際に、キックプレートに対して作用する力を最小限にすることで、キックプレートが筐体から外れてしまうことを抑制することができるという効果を奏する。
【図面の簡単な説明】
【００１５】
【図１】図１は、本発明の実施の形態であるショーケースの断面側面図である。
【図２】図２は、図１に示したキックプレートを前方側から見た正面図である。
【図３】図３は、図２におけるＡ−Ａ線断面図である。
【図４】図４は、図２におけるＢ−Ｂ線断面図である。
【図５】図５は、図１に示した凝縮器用フィルタを示す正面図である。
【図６】図６は、凝縮器用フィルタをキックプレートに取り付ける状態を示す説明図である。
【図７】図７は、凝縮器用フィルタの突起部を示す説明図である。
【図８】図８は、凝縮器用フィルタをキックプレートに取り付ける状態を示す説明図である。
【図９】図９は、凝縮器用フィルタの突起部を示す説明図である。
【発明を実施するための形態】
【００１６】
以下に添付図面を参照して、本発明に係るショーケースの好適な実施の形態について詳細に説明する。
【００１７】
図１は、本発明の実施の形態であるショーケースの断面側面図である。ここで例示するショーケースは、ケース本体１０を備えている。
【００１８】
ケース本体１０は、略直方状の筐体であり、断熱構造を有する収容室１０ａと、該収容室１０ａの下方域に設けられた機械室１０ｂとが設けられている。収容室１０ａは、前面開口１１が形成され、その内部には収納室１２が画成されているとともに、空気循環手段２０が設けられている。
【００１９】
収納室１２は、上記前面開口１１を臨む態様で画成された室であり、複数の商品陳列棚１３が上下方向に沿って複数段並べて配設されている。
【００２０】
空気循環手段２０は、空気通路２１と循環ファン２２とを備えて構成されている。空気通路２１は、吸込口２３から吹出口２４に至る空気の通路である。ここで吸込口２３は、収納室１２の内部の空気を吸い込むための開口であり、収納室１２の左右方向に沿って延設されている。この吸込口２３は、収納室１２の下側前方縁部、すなわちケース本体１０の前面開口１１近傍の下部に配設されている。
【００２１】
吹出口２４は、収納室１２の内部に空気を吹き出すための開口であり、収納室１２の左右方向に沿って延設されている。この吹出口２４は、収納室１２の上側前方縁部、すなわちケース本体１０の前面開口１１近傍の上部に配設されている。
【００２２】
このような空気通路２１は、収納室１２の外部であってその下方にある下方ダクト２１ａと、収納室１２の外部であってその背面側にある背面ダクト２１ｂと、収納室１２の外部であってその上方にある上方ダクト２１ｃとを互いに連通した態様で構成されている。
【００２３】
循環ファン２２は、空気を循環させるものであり、下方ダクト２１ａの所定部位に配設されている。本実施の形態においては、循環ファン２２は、下方ダクト２１ａの所定部位に配設されているが、本発明では、循環ファン２２の配設部位は特に限定されるものではなく、循環ファン２２の機能を発揮することができる個所であればどの部位に配設しても構わない。
【００２４】
このような空気循環手段２０においては、循環ファン２２が駆動することにより吸込口２３を通じて収納室１２の内部にある空気を吸い込み、吸い込んだ空気が空気通路２１を通過する態様で吹出口２４まで送出し、吹出口２４を通じて空気を収納室１２の内部に吹き出させることにより、収納室１２の内部と外部との間で空気を循環させるものである。
【００２５】
上記空気通路２１の背面ダクト２１ｂには、蒸発器２５が設けられている。蒸発器２５は、機械室１０ｂに配設された圧縮機２６や凝縮器２７等の冷凍機器とともに冷媒を循環させる冷媒循環手段を構成している。ここで圧縮機２６は、冷媒を圧縮するものであり、凝縮器２７は、圧縮機２６で圧縮された冷媒を凝縮させるものである。この凝縮器２７で凝縮した冷媒は、図示せぬ膨張機構で断熱膨張されて低温低圧の状態にされる。また、凝縮器２７の後方側には、第１庫外送風ファン２８が設けられている。更に、圧縮機２６の後方側には、第２庫外送風ファン２９が設けられている。
【００２６】
蒸発器２５は、循環ファン２２が駆動することにより背面ダクト２１ｂを下方から上方に向けて通過する空気と、膨張機構で断熱膨張された冷媒とを熱交換させるもの、より詳細には、冷媒を蒸発させることにより背面ダクト２１ｂ（空気通路２１）を通過する空気を冷却するものである。この蒸発器２５で蒸発した冷媒は、再び圧縮機２６に戻り圧縮されることになる。
【００２７】
機械室１０ｂは、収容室１０ａの下方域に設けられており、後方と左右が閉塞されている。この機械室１０ｂの前面には開口３０が形成されており、かかる開口３０はキックプレート４０により閉塞されている。このキックプレート４０について後述する。
【００２８】
上記機械室１０ｂには、排出ダクト３１が連通している。排出ダクト３１は、空気通路２１の背面ダクト２１ｂの背面側において該背面ダクト２１ｂとは区画されて設けられており、上下方向に沿って延在している。この排出ダクト３１は、下部に排気導入口３２が形成されており、上部に排出口３３が形成されている。排気導入口３２は、機械室１０ｂに連通する開口である。排出口３３は、排出ダクト３１を通過した空気を外部に排出するための開口である。
【００２９】
図２〜図４は、それぞれ図１に示したキックプレート４０を示すものであり、図２は前方側から見た正面図であり、図３は、図２におけるＡ−Ａ線断面図であり、図４は、図２におけるＢ−Ｂ線断面図である。
【００３０】
これら図２〜図４に示すように、キックプレート４０は、通風孔４１、切欠部４２及び支持部４３を備えて構成されている。
【００３１】
通風孔４１は、キックプレート４０における通風領域４０ａに複数形成されている。通風領域４０ａは、凝縮器２７の前方側に位置する領域であり、より詳細には凝縮器２７に対向する領域である。通風孔４１は、それぞれ第１庫外送風ファン２８が駆動することにより、外気を凝縮器２７等に供給するためのものである。
【００３２】
切欠部４２は、通風領域４０ａの上方部分に形成され、左右方向が長手方向となる長尺状のものである。支持部４３は、支持片４３１と、左右一対の支持左側部４３２及び支持右側部４３３とを備えて構成されている。
【００３３】
支持片４３１は、キックプレート４０の下端部を後方に屈曲して構成されたものであり、後方に向けて延在する支持後延部４３１ａと、支持後延部４３１ａの延在端部が上方に向けて延在する支持上延部４３１ｂとが連続して構成されている。尚、支持片４３１の支持後延部４３１ａには、その長手方向、すなわち左右方向に沿って所定間隔毎に排出孔４３４が形成されている。
【００３４】
支持左側部４３２は、キックプレート４０の後面において切欠部４２の左方側に形成されており、キックプレート４０の後面に取り付けられた左側基部４３２ａと、左側基部４３２ａの右端部より後方に向けて延在する左側後延部４３２ｂと、該左側後延部４３２ｂの延在端部より右方に向けて延在する左側右延部４３２ｃとが一体的に形成されて構成されている。
【００３５】
支持右側部４３３は、キックプレート４０の後面において切欠部４２の右方側に形成されており、キックプレート４０の後面に取り付けられた右側基部４３３ａと、右側基部４３３ａの左端部より後方に向けて延在する右側後延部４３３ｂと、該右側後延部４３３ｂの延在端部より左方に向けて延在する右側左延部４３３ｃとが一体的に形成されて構成されている。
【００３６】
これら支持部４３における支持左側部４３２の左側後延部４３２ｂと、支持右側部４３３の右側後延部４３３ｂとの離間距離は、後述する凝縮器用フィルタ５０の左右幅よりも僅かに大きいものであり、支持左側部４３２の左側右延部４３２ｃと、支持右側部４３３の右側左延部４３３ｃとの離間距離は、凝縮器用フィルタ５０の左右幅よりも小さいものである。また、支持部４３における支持左側部４３２及び支持右側部４３３は、それぞれの下端部が支持片４３１に接している。
【００３７】
更に、支持部４３には、係合孔部４３５が形成されている。係合孔部４３５は、支持左側部４３２及び支持右側部４３３に形成されており、切欠部４２よりも僅かに下方側において左側後延部４３２ｂ及び右側後延部４３３ｂを切り欠くことにより形成されている。
【００３８】
このような構成を有するキックプレート４０は、下端に形成された係止片４４がケース本体１０に形成された図示せぬ係止孔に進入し、かつ両側部の裏面側に設けられた図示せぬ被吸着部がケース本体１０に設置されたマグネット（図示せず）に磁力により吸着されることで機械室１０ｂの前面の開口３０を閉塞する態様で配設される。
【００３９】
図５は、凝縮器用フィルタ５０を示す正面図である。ここで例示する凝縮器用フィルタ５０は、略矩形状の形態を成しており、フィルタ開口５１ａが形成された軟質樹脂製のフィルタフレーム５１に、フィルタ部５２が該フィルタ開口５１ａを覆うよう保持されて構成されている。この凝縮器用フィルタ５０は、空気の通過を許容しつつ該空気中に含まれる塵埃物を捕獲するものである。
【００４０】
この凝縮器用フィルタ５０は、把手部５３及び突起部５４を備えている。把手部５３は、フィルタフレーム５１の上端部を前方に向けて屈曲させることにより構成されている。
【００４１】
突起部５４は、フィルタフレーム５１の左右両端部においてフィルタ開口５１ａの上縁部よりやや上方側部位に形成された左右一対のものである。これら突起部５４は、フィルタフレーム５１の左端部に設けられているものは左方に向けて突出し、フィルタフレーム５１の右端部に設けられているものは右方に向けて突出している。また、これら突起部５４の内方側には異形状の貫通孔５５が形成されている。この貫通孔５５は、突起部５４が外方から押圧された場合に該突起部５４が弾性変形することを許容するためのものである。
【００４２】
以上のような構成を有する凝縮器用フィルタ５０は、次のようにしてキックプレート４０に支持される。
【００４３】
凝縮器用フィルタ５０は、図６に示すように切欠部４２から挿入されると、フィルタフレーム５１の下端部の一部が左側右延部４３２ｃ及び右側左延部４３３ｃと摺接する。フィルタフレーム５１の下端部の一部が左側右延部４３２ｃ及び右側左延部４３３ｃに摺接した状態で凝縮器用フィルタ５０が徐々に切欠部４２から挿入されていくと凝縮器用フィルタ５０は湾曲するように撓む。上述したように左側後延部４３２ｂと右側後延部４３３ｂとの離間距離は、凝縮器用フィルタ５０の左右幅より僅かに大きいものであるから、凝縮器用フィルタ５０が切欠部４２を通じて挿入されると、フィルタフレーム５１の左端部が左側後延部４３２ｂに摺接するとともに、フィルタフレーム５１の右端部が右側後延部４３３ｂに摺接する。そして、フィルタフレーム５１の左右の両端部に形成された突起部５４が、図７に示すように、左側後延部４３２ｂ及び右側後延部４３３ｂに押圧されて内方に向けて弾性変形している。
【００４４】
その後、フィルタフレーム５１の下端部が、図８に示すように支持片４３１（支持後延部４３１ａ）に当接すると、突起部５４が支持部４３に形成された係合孔部４３５に対向し、これにより、図９に示すように、突起部５４が弾性復元力により該係合孔部４３５に進入する。この場合において、フィルタフレーム５１の上端部、すなわち切欠部４２から露出された部分はケース本体１０の前面に接した状態となる。
【００４５】
このようにしてキックプレート４０は、通風孔４１と凝縮器２７との間にて切欠部４２を通じて挿入された凝縮器用フィルタ５０を、切欠部４２から露出する部分をケース本体１０の前面に接した状態で支持する。これにより、凝縮器用フィルタ５０は、凝縮器２７の目詰まりを抑制することができる。
【００４６】
ところで、把手部５３が作業者によって把持されて上方に向けて引き抜かれることで、凝縮器用フィルタ５０は、突起部５４が係合孔部４３５から離脱して左側後延部４３２ｂ及び右側後延部４３３ｂに押圧されて内方に向けて弾性変形し（図７参照）、フィルタフレーム５１が切欠部４２の上方側のケース本体１０の前面に接しながら切欠部４２を通じて外部に取り出されることとなる。
【００４７】
以上説明したように、上記キックプレート４０によれば、通風領域４０ａの上方部分に形成された切欠部４２が、凝縮器用フィルタ５０を挿入させ、支持部４３が、通風孔４１と凝縮器２７との間にて切欠部４２を通じて挿入された凝縮器用フィルタ５０を支持するので、キックプレート４０を取り外すことなく、凝縮器用フィルタ５０の着脱を容易に行うことができる。そのため、凝縮器用フィルタ５０の清掃頻度の向上を図ることができ、圧縮機２６や凝縮器２７の冷凍機器の運転効率の向上を図ることができる。
【００４８】
特に、凝縮器用フィルタ５０が軟質樹脂から形成されていることから凝縮器用フィルタ５０自体が容易に変形する。そのため、支持部４３が凝縮器用フィルタ５０における切欠部４２から露出する部分をケース本体１０の前面に接した状態で支持することができ、しかも凝縮器用フィルタ５０をキックプレート４０から離脱させる際に、キックプレート４０に対して作用する力を最小限にすることで、キックプレート４０がケース本体１０から外れてしまうことを抑制することができる。
【００４９】
上記キックプレート４０によれば、支持部４３の係合孔部４３５が、凝縮器用フィルタ５０を支持する場合に、該凝縮器用フィルタ５０に形成された突起部５４が弾性復元力により進入することを許容するので、凝縮器用フィルタ５０を挿入する作業者に対してクリック感のような操作感を与えることができる。これにより、凝縮器用フィルタ５０が取り付けられたことを容易に判断させることができる。
【００５０】
上記キックプレート４０によれば、切欠部４２が通風領域４０ａの上方側にて左右方向が長手方向となる態様で形成されているので、凝縮器用フィルタ５０を下方に向けて切欠部４２に挿入させて支持部４３に支持させることができるとともに、該凝縮器用フィルタ５０を上方に向けて引き出すことができるので、ケース本体１０の下方域に機械室１０ｂが設置されることを考慮すれば、作業性を良好なものとすることができる。
【００５１】
上記キックプレート４０によれば、把手部５３が切欠部４２から露出されるよう支持部４３が凝縮器用フィルタ５０を支持するので、作業者は把手部５３を把持することで凝縮器用フィルタ５０を容易に取り出すことができ、これによっても作業性を向上させることができる。
【００５２】
以上、本発明の好適な実施の形態について説明したが、本発明はこれに限定されるものではなく、種々の変更を行うことができる。
【００５３】
上述した実施の形態では、凝縮器用フィルタ５０が軟質樹脂製のものとして説明したが、本発明においては、凝縮器用フィルタが軟質性のものであれば、樹脂以外のものであってもよい。
【００５４】
上述した実施の形態では、係合孔部４３５が左側後延部４３２ｂ及び右側後延部４３３ｂに設けられていたが、本発明においては、凝縮器用フィルタに形成された突起部の進入を許容するものであれば、キックプレートのいずれの個所に形成されていてもよい。
【符号の説明】
【００５５】
１０  ケース本体
１０ａ  収容室
１０ｂ  機械室
１１  前面開口
１２  収納室
１３  商品陳列棚
２０  空気通路
２２  循環ファン
２３  吸込口
２４  吹出口
２５  蒸発器
２７  凝縮器
２８  第１庫外送風ファン
３０  開口
４０  キックプレート
４０ａ  通風領域
４１  通風孔
４２  切欠部
４３  支持部
４３５  係合孔部
５０  凝縮器用フィルタ
５１  フィルタフレーム
５３  把手部
５４  突起部
【図１】
0006707815.tif 000002
【図２】
0006707815.tif 000003
【図３】
0006707815.tif 000004
【図４】
0006707815.tif 000005
【図５】
0006707815.tif 000006
【図６】
0006707815.tif 000007
【図７】
0006707815.tif 000008
【図８】
0006707815.tif 000009
【図９】
0006707815.tif 000010